【手続補正書】
【提出日】平成22年7月8日(2010.7.8)
【手続補正１】
【補正対象書類名】特許請求の範囲
【補正対象項目名】請求項２
【補正方法】変更
【補正の内容】
【請求項２】
（一）プラスチック製容器成形材を殺菌するステップと、
（二）無菌環境下で、容器成形材を加熱して軟化させ、軟化した容器成形材を無菌エアーの吹き込みにより圧空成型して１回の使用量を充填するに足る容量の収容凹部を形成するステップと、
（三）無菌環境下で、連続成形された収容凹部に、防腐剤を含有しない、殺菌された下記の液状の化粧液を、無菌充填するステップと、
化粧液は、ヘアケア液であって、防腐剤は含有されず、水に、下記の（１）水溶性ケラチン及び（２）白金ナノコロイドを混合してなる、ヘアケア液である、請求項１に記載の化粧品。
（１）水溶性ケラチン１．５重量％ないし５．８重量％
（２）白金ナノコロイド０．０３５重量％ないし０．３１５重量％
（３）水 残量
（四）無菌環境下で、小型容器の開口部の周囲において、無菌状態に保持された蓋材をシールされて小型容器の開口部を閉塞するステップと、
（五）化粧液が充填された各小型容器を、収容凹部の周囲と蓋材とをともに切り離すステップとを含む、
化粧品の製造方法。
【手続補正２】
【補正対象書類名】明細書
【補正対象項目名】０００５
【補正方法】変更
【補正の内容】
【０００５】
この発明の請求項１にかかる化粧品の製造方法は、次のように構成されている。
（一）プラスチック製容器成形材を殺菌するステップと、
（二）無菌環境下で、容器成形材を加熱して軟化させ、軟化した容器成形材を無菌エアーの吹き込みにより圧空成型して１回の使用量を充填するに足る容量の収容凹部を形成するステップと、
（三）無菌環境下で、連続成形された収容凹部に、防腐剤を含有しない、殺菌された下記の液状の化粧液を、無菌充填するステップと、
化粧液は、防腐剤は含有されず、水に、下記の（１）コラーゲンペプチド及び（２）白金ナノコロイドを混合してなる。
（１）コラーゲンペプチド１０重量％ないし５０重量％
（２）白金ナノコロイド０．０３５重量％ないし０．２８５重量％
（３）水 残量
（四）無菌環境下で、小型容器の開口部の周囲において、無菌状態に保持された蓋材をシールされて小型容器の開口部を閉塞するステップと、
（五）化粧液が充填された各小型容器を、収容凹部の周囲と蓋材とをともに切り離すステップとを含む、
化粧品の製造方法。
この発明の請求項２にかかる化粧品の製造方法は、次のように構成されている。
（一）プラスチック製容器成形材を殺菌するステップと、
（二）無菌環境下で、容器成形材を加熱して軟化させ、軟化した容器成形材を無菌エアーの吹き込みにより圧空成型して１回の使用量を充填するに足る容量の収容凹部を形成するステップと、
（三）無菌環境下で、連続成形された収容凹部に、防腐剤を含有しない、殺菌された下記の液状の化粧液を、無菌充填するステップと、
化粧液は、ヘアケア液であって、防腐剤は含有されず、水に、下記の（１）水溶性ケラチン及び（２）白金ナノコロイドを混合してなる、ヘアケア液である、請求項１に記載の化粧品。
（１）水溶性ケラチン１．５重量％ないし５．８重量％
（２）白金ナノコロイド０．０３５重量％ないし０．３１５重量％
（３）水 残量
（四）無菌環境下で、小型容器の開口部の周囲において、無菌状態に保持された蓋材をシールされて小型容器の開口部を閉塞するステップと、
（五）化粧液が充填された各小型容器を、収容凹部の周囲と蓋材とをともに切り離すステップとを含む、
化粧品の製造方法。
この発明の請求項３にかかる化粧品の製造方法は、容器成形材を殺菌するステップは、容器成形材を過酸化水素槽に浸漬してその表面を殺菌するとともに殺菌された容器成形材を無菌化されたエアをエアーナイフにより吹き付けて容器成形材の表面の過酸化水素を除去することを含む、請求項１または請求項２に記載の化粧品の製造方法である。
この発明の請求項４にかかる化粧品の製造方法は、容器成形材は、ポリエチレンテレフタレートのシート状物からなる、請求項１ないし請求項３のいずれかに記載の化粧品の製造方法である。
この発明の請求項５にかかる化粧品の製造方法は、小型容器は、化粧液を充填した後、無菌エアーを収容凹部内に供給して密封されて、陽圧を維持した状態にされた、請求項１ないし請求項４のいずれかに記載の化粧品の製造方法である。
【手続補正３】
【補正対象書類名】明細書
【補正対象項目名】０００６
【補正方法】変更
【補正の内容】
【０００６】
請求項１の発明にかかる化粧品の製造方法は、次のように構成されているので、人体に有用な効果・効能が期待される原材料のみで構成して、防腐剤を用いない安全な化粧品を製造できる。
（一）プラスチック製容器成形材を殺菌するステップと、
（二）無菌環境下で、容器成形材を加熱して軟化させ、軟化した容器成形材を無菌エアーの吹き込みにより圧空成型して１回の使用量を充填するに足る容量の収容凹部を形成するステップと、
（三）無菌環境下で、連続成形された収容凹部に、防腐剤を含有しない、殺菌された下記の液状の化粧液を、無菌充填するステップと、
化粧液は、防腐剤は含有されず、水に、下記の（１）コラーゲンペプチド及び（２）白金ナノコロイドを混合してなる。
（１）コラーゲンペプチド１０重量％ないし５０重量％
（２）白金ナノコロイド０．０３５重量％ないし０．２８５重量％
（３）水 残量
（四）無菌環境下で、小型容器の開口部の周囲において、無菌状態に保持された蓋材をシールされて小型容器の開口部を閉塞するステップと、
（五）化粧液が充填された各小型容器を、収容凹部の周囲と蓋材とをともに切り離すステップとを含む、
化粧品の製造方法。
請求項２の発明によれば、次のように構成されているので、人体に有用な効果・効能が期待される原材料のみで構成して、防腐剤を用いない安全な化粧品を製造できる。
（一）プラスチック製容器成形材を殺菌するステップと、
（二）無菌環境下で、容器成形材を加熱して軟化させ、軟化した容器成形材を無菌エアーの吹き込みにより圧空成型して１回の使用量を充填するに足る容量の収容凹部を形成するステップと、
（三）無菌環境下で、連続成形された収容凹部に、防腐剤を含有しない、殺菌された下記の液状の化粧液を、無菌充填するステップと、
化粧液は、ヘアケア液であって、防腐剤は含有されず、水に、下記の（１）水溶性ケラチン及び（２）白金ナノコロイドを混合してなる、ヘアケア液である、請求項１に記載の化粧品。
（１）水溶性ケラチン１．５重量％ないし５．８重量％
（２）白金ナノコロイド０．０３５重量％ないし０．３１５重量％
（３）水 残量
（四）無菌環境下で、小型容器の開口部の周囲において、無菌状態に保持された蓋材をシールされて小型容器の開口部を閉塞するステップと、
（五）化粧液が充填された各小型容器を、収容凹部の周囲と蓋材とをともに切り離すステップとを含む、
化粧品の製造方法。
請求項３の発明によれば、容器成形材を殺菌するステップは、容器成形材を過酸化水素槽に浸漬してその表面を殺菌するとともに殺菌された容器成形材を無菌化されたエアをエアーナイフにより吹き付けて容器成形材の表面の過酸化水素を除去することを含むので、人体に有用な効果・効能が期待される原材料のみで構成して、防腐剤を用いない安全な化粧品を製造できる。
請求項４の発明によれば、容器成形材は、ポリエチレンテレフタレートのシート状物からなるので、水蒸気透過度及び酸素透過度が低く、湿気を防ぐとともに化粧品の酸化を抑制する。
請求項５の発明によれば、小型容器は、化粧液を充填した後、無菌エアーを収容凹部内に供給して密封されて、陽圧を維持した状態にされているので、無菌状態を維持して化粧品を製造できる。